(57)【要約】      （修正有）【課題】鯉のぼり本体生地の表面の艶や鮮明さ、光沢を向上させ、鯉のぼりや吹流しの審美性、インパクトを格段に向上させることができとともに、室内用であっても鯉が元気よく泳いでいる躍動感を醸し出すことができる室内鯉のぼりセットを提供する。【解決手段】吹き流し４と、鯉のぼり６ａ，６ｂ，６ｃと、これらを支える支柱２３を備え、前記吹き流し４の外観を形成する吹き流し本体生地４３と、鯉のぼり６ａ，６ｂ，６ｃの外観を形成する鯉のぼり本体生地６６とのうち、少なくともいずれかの本体生地４３，６６の表面に、外部からの光を反射する複数の小片状の反射体３０を配設した。【選択図】図１
0003155510.tif 000002
【実用新案登録請求の範囲】
【請求項１】
吹き流しと、鯉のぼりと、これらを支える支柱を備え、
前記吹き流しの外観を形成する吹き流し本体生地と、鯉のぼりの外観を形成する鯉のぼり本体生地とのうち、少なくともいずれかの本体生地の表面に、外部からの光を反射する複数の小片状の反射体を配設した
室内鯉のぼりセット。
【請求項２】
前記反射体を、多面体である粒状の反射粒状体で形成した
請求項１に記載の室内鯉のぼりセット。
【請求項３】
前記反射粒状体を、表面に透光性反射面を有して形成するとともに、底面に反射面を有して形成した
請求項２に記載の室内鯉のぼりセット。
【請求項４】
前記反射体を、前記鯉のぼり本体生地の鱗部分に偏在するよう配設した
請求項１から請求項３のうちいずれか１項に記載の室内鯉のぼりセット。
【請求項５】
前記反射体を、反射体本体と、前記本体生地の表面に固着する固着部とで形成した
請求項１から請求項４のうちいずれか１項に記載の室内鯉のぼりセット。
【請求項６】
前記固着部を、熱溶融により前記本体生地に固着する熱溶着部で形成した
請求項５に記載の室内鯉のぼりセット。
【請求項７】
前記吹き流し、及び／又は、前記鯉のぼりには、
前記本体生地の内側に挿入してふくらみを持たせる立体形状保持部材を備え、
前記複数の反射粒状体は、前記吹き流し、及び／又は、前記鯉のぼりのふくらみにあわせて異なる向きとなる構成である
請求項２、又は、３に記載の室内鯉のぼりセット。
【考案の詳細な説明】
【技術分野】
【０００１】
この考案は、例えば風の吹かない室内に設置されるような室内鯉のぼりセットに関する。
【背景技術】
【０００２】
従来より、鯉のぼり本体は、その生地表面に、鱗や目玉の模様が赤、青、緑、黒など様々な色で着色され、優れた意匠を有しているが、最近では、鯉のぼりの表面を光輝させることにより、美麗を顕現し、躍動感が向上するよう工夫が施された鯉のぼりも提案されている。特許文献１の鯉のぼりもその１つである。
【０００３】
特許文献１の鯉のぼりは、鱗部分の金色を濃色から淡色に変化する金色ボカシ部を形成することにより、鱗全体の金色が非常に強く印象付けられ、美麗さと、躍動感を備えることができるものである。
【０００４】
しかし、金色ボカシ部は、鯉のぼり本体の生地表面に模様の一部として描いたものであるから、たとえ金色ボカシ部を鯉のぼり本体の生地表面に描いても反射光による光輝の度合いにも限界があり、例えば、風の吹かない室内に設置する室内用の鯉のぼりの場合、遊泳中の鯉の鱗が日光を浴びてキラキラと反射する様子を十分に表現できず、見る人に与える反射光によるインパクト、審美性、躍動感が不十分であるといわざるを得ない。
【先行技術文献】
【特許文献】
【０００５】
【特許文献１】実開平０７−２７３８７号公報
【考案の概要】
【考案が解決しようとする課題】
【０００６】
そこで本考案では、鯉のぼり本体生地の表面の艶や鮮明さ、光沢を向上させ、鯉のぼりや吹流しの審美性、インパクトを格段に向上させることができとともに、室内用であっても鯉が元気よく泳いでいる躍動感を醸し出すことができる室内鯉のぼりセットの提供を目的とする。
【課題を解決するための手段】
【０００７】
本考案は、吹き流しと、鯉のぼりと、これらを支える支柱を備え、前記吹き流しの外観を形成する吹き流し本体生地と、鯉のぼりの外観を形成する鯉のぼり本体生地とのうち、少なくともいずれかの本体生地の表面に、外部からの光を反射する複数の小片状の反射体を配設した室内鯉のぼりセットであることを特徴とする。
【０００８】
前記構成により、前記鯉のぼり本体生地の表面に複数の小片状の反射体を配設した場合、光を積極的に反射するため、例えば、鯉のぼり本体生地の表面に金箔や模様を付した従来の鯉のぼりと比較して鯉本来が有する表面の鮮明さ、艶やかさ、光沢を表すことができる。
【０００９】
よって、室内用であっても鯉が元気よく泳いでいる躍動感を醸し出すことができる。
【００１０】
また、前記吹き流し本体生地の表面に複数の小片状の反射体を配設した場合、反射体が有する装飾効果により吹流しの審美性、美麗さを格段に向上させることができる。
【００１１】
前記反射体は、ラインストーン、ビーズ、メタルスタッズ、アクリルビーズ、スパンコールが含まれ、その形状、種類等は限定しない。材質は、ガラス、クリスタル、プラスチックなど特に限定しない。
【００１２】
この考案の態様として前記反射体を、多面体である粒状の反射粒状体で形成することができる。
【００１３】
前記構成により、反射粒状体は、見る角度や入射光の変化によって、外部からの光を反射する反射面が異なるため、優れた光沢感を発揮することができる。
【００１４】
よって、風になびくことなく静止した状態で設置される室内用の鯉のぼりでも、鱗や尾などが光で煌きながら元気よく泳ぐ様子を醸し出すことができる。
【００１５】
この考案の態様として前記反射粒状体を、表面に透光性反射面を有して形成するとともに、底面に反射面を有して形成することができる。
【００１６】
反射粒状体の表面に有する透光性反射面の反射光と、底面に有する反射面の反射光との双方の反射光を視認できるため、反射粒状体の美麗さがより顕在化し、優れた光沢感を発揮することができる。
【００１７】
またこの考案の態様として前記反射体を、前記鯉のぼり本体生地の鱗部分に偏在するよう配設することができる。
【００１８】
前記構成により、鯉のぼりの表面に描かれた複数の鱗部分が光に対して特に反射するため、鯉が泳いでいる際に鯉の胴体部分に配置された複数の鱗が光に反射して煌いている様子を表すことができ、見る人の注意を引き寄せることができるとともに、より本物の鯉に則した光沢を表現することができる。
【００１９】
またこの考案の態様として前記反射体を、反射体本体と、前記本体生地の表面に固着する固着部とで形成することができる。
【００２０】
前記構成により、模様を付した後の前記本体生地に対して反射体の固着部を固着するだけで、前記本体生地の表面に対して反射体を容易に、且つ、強固に配することができる。
【００２１】
また、反射体本体は、鯉のぼり本体生地の表面に対してしっかりと突状態で配することが可能となるため、表面に付した模様と比較して鯉表面に有する鱗などの凹凸感を表現することができるとともに、反射光を広い範囲で拡散できるため、光沢感を強調することができる。
【００２２】
またこの考案の態様として前記固着部を、熱溶融により前記本体生地に固着する熱溶着部で形成することができる。
【００２３】
前記構成により例えば、反射体の熱溶着部を前記本体生地に例えば、熱溶着用のコテなどにより押し当てて、熱溶着部に熱を付与することにより反射体を前記本体生地の表面に対して剥離することなく強固に、且つ、手軽に熱溶着することができる。
【００２４】
またこの考案の態様として前記吹き流し、及び／又は、前記鯉のぼりには、前記本体生地の内側に挿入してふくらみを持たせる立体形状保持部材を備え、前記複数の反射粒状体は、前記吹き流し、及び／又は、前記鯉のぼりのふくらみにあわせて異なる向きとなる構成とすることができる。
【００２５】
前記複数の反射粒状体は、前記吹き流し、及び／又は、前記鯉のぼりのふくらみにあわせて異なる向きとなる構成とすることができるため、前記複数の反射粒状体は、様々な向きとなり、反射粒状体ごとに色彩、度合いが異なる反射光を眺めることができる。
【００２６】
さらに、様々な角度から眺めても、いずれかの反射粒状体が反射してきらきらと美しく眺めることができる。よって、より光沢感、躍動感が向上する。
【００２７】
前記本体生地に立体形状保持部材を差込むことにより、これらをふくらみのある美しい形状を保つことができる。
【００２８】
さらにまた、前記本体生地の表面が弛緩することがないため、本体生地の表面に形成した前記反射体が弛緩した本体生地により隠蔽されることなく所望の位置に配設することができるため、しっかりと見栄えよく視認することができる。
【考案の効果】
【００２９】
本考案は、鯉のぼり本体生地の表面の艶や鮮明さ、光沢を向上させ、鯉のぼりや吹流しの審美性、インパクトを格段に向上させることができとともに、室内用であっても鯉が元気よく泳いでいる躍動感を醸し出すことができる室内鯉のぼりセットを提供することができる。
【図面の簡単な説明】
【００３０】
【図１】室内鯉のぼりセットの斜視図。
【図２】吹き流しの斜視図。
【図３】吹き流しの一部を示す側面図。
【図４】鯉のぼりの斜視図。
【図５】鯉のぼりの一部を示す側面図。
【図６】反射体が光を反射している様子を示す模式図。
【図７】鯉のぼり本体生地に対する反射体の固着方法の説明図。
【図８】鯉のぼり本体生地に対する反射体の固着方法の説明図。
【考案を実施するための形態】
【００３１】
この考案の一実施形態を、以下図面を用いて説明する。  
図１は、室内鯉のぼりセット１の全体構成を示す斜視図である。
【００３２】
室内鯉のぼりセット１は、鉛直の支柱２３を有する飾り台２と、該飾り台２の上部に一端が接触または近接するように取り付けた吹き流し４と、該吹き流し４の下方へ順番に並べた複数の鯉のぼり６（６ａ〜６ｃ）とで構成されている。なお、鯉のぼり６は、上から順に大鯉のぼり６ａ、中鯉のぼり６ｂ，小鯉のぼり６ｃと大きさが次第に小さくなっている。
【００３３】
飾り台２は、床面や畳面などの設置面に置かれる台部２９と、該台部２９の上方へ鉛直に伸びる棒状の支柱２３と、該支柱２３の上部に設けられた２つの風車２２と、さらに支柱２３の先端に設けられた金球２１とで構成されている。
【００３４】
２つの風車２２は、支柱２３が縦軸となる十字軸の横軸両端に中心が取り付けられている。これにより、２つの風車２２は、対向配置され、それぞれ独立して回転することができる。
【００３５】
支柱２３は、風車２２の少し下の位置に、図２に示すように紐２５の上端を結び付けるための取付金具２４が設けられている。また、支柱２３は、取付金具２４の少し下の位置に、水平配置される横棒２６の一端が固定されている。
【００３６】
吹き流し４は、表面に模様が表された布を円筒形に縫合した吹き流し本体４０と、該吹き流し本体４０の内側に挿通された円筒形の発泡ウレタンＵ１とで構成されている。  
吹き流し本体４０は、図２、及び、図３に示すように、ナイロン又はポリエステル生地などの化学繊維等の吹き流し本体生地４３を円筒形に縫合して形成し、白と青を基調とする表面に、模様が施されている。
【００３７】
詳しくは、吹き流し本体生地４３の頭部側表面は、全体を白を基調とする千鳥模様で施色し（図示せず）、長さ方向に沿って青の２重の環状模様Ｄ１，Ｄ２が付されている（図２、図３（ａ））。  
なお、２重の環状模様Ｄ１，Ｄ２のうち、頭部側の環状模様Ｄ１は、末尾側の環状模様Ｄ２の略２倍の幅で付されている。
【００３８】
一方、末尾側表面は、全体を青を基調とする千鳥模様で施色し（図示せず）、羽ばたいている数羽の鶴の模様が付されている（図２、図３（ｂ））。
【００３９】
さらに、吹き流し本体生地４３の表面には、複数の粒状の反射体３０を配設している。
【００４０】
反射体３０は、吹き流し本体生地４３の頭部側表面の２重の各環状模様部分Ｄ１，Ｄ２の幅方向の両側に、周方向において等分配するよう複数配設し、吹き流し本体生地４３の末尾側表面全体に略均等に点在するよう配設している。
【００４１】
さらに、複数の反射体３０は、吹き流し本体４０、及び／又は、鯉のぼり本体６０のふくらみにあわせて異なる向きとなるよう配設されている。
【００４２】
反射体３０は、反射体本体３１と、熱溶着部３２とで構成している（図６、及び、図７（ａ）一部拡大図参照）。
【００４３】
反射体本体３１は、多面体で形成した粒状のラインストーンからなり、図６に示すように、表面に透光性反射面３１Ａを有して形成するとともに、底面に反射面３１Ｂを有して形成している。  
なお、図６は、反射体３０が光を反射している様子を示す模式図である。
【００４４】
反射体本体３１は、入射光に対して表面の透光性反射面３１Ａで反射、拡散する光Ｌ１により光輝する。さらに、透光性反射面から屈折入射し、底面の反射面３１Ｂで反射、拡散する光Ｌ２も加わり、双方の反射光Ｌ１，Ｌ２により、優れた光沢感を得ることができる。
【００４５】
熱溶着部３２は、生地表面に対して後述する手順により熱溶着可能な熱溶融性樹脂で形成し、反射体本体３１の下端部（基底部）に一体に固着されている。
【００４６】
吹き流し本体４０は、一端に口縁４１が設けられており、この口縁４１にリング状の針金４５が嵌め込まれている。これにより、口縁４１が綺麗な円形を保つとともに、該口縁４１から発泡ウレタンＵ１を挿入しやすくなっている（図２（ａ）参照）。
【００４７】
口縁４１の近傍は、上下に貫通孔４２が設けられており、この貫通孔４２に紐２５を挿通できるように構成されている（図２参照）。
【００４８】
吹き流し本体４０の下部中央には、吊り下げ具８が設けられている。この吊り下げ具８は、吹き流し本体４０の下部中央に一端が固定された吊り紐８１と、この吊り紐８１の他端に固定された挟持具８２とで構成されている。この挟持具８２は、下方に配置される鯉のぼり６の背びれ６３を挟持する。
【００４９】
発泡ウレタンＵ１の両端には、円盤状の白色の化粧板Ｃ１が設けられている。この化粧板Ｃ１は、発泡ウレタンＵ１の直径と同サイズに形成されており、発泡ウレタンＵ１の色が外部から見えないようにされている。これにより、発泡ウレタンＵ１が変色しても美観に影響を与えないようにしている。
【００５０】
このように構成された吹き流し４は、発泡ウレタンＵ１の上の吹き流し本体４０との隙間部分に口縁４１から横棒２６が奥まで挿通され、この横棒２６によって水平状態で取り付けられる。横棒２６の長さは、吹き流し本体４０の長さよりも少し短い程度となっている。これにより、吹き流し本体４０の外から横棒２６が見えず、かつ、吹き流し本体４０のほぼ全長に渡って横棒２６が存在するように構成されている。
【００５１】
吹き流し４の口縁４１は、支柱２３に接触または近接する位置となるように、貫通孔４２に挿通された紐２５によって固定されている。これにより、吹き流し４は、飾り台２に水平状態で安定して取り付けられ、発泡ウレタンＵ１によって立体形状が保たれている。
【００５２】
図１、及び、図４に示すように、鯉のぼり６（６ａ，６ｂ，６ｃ）は、鯉のぼり本体６０と、該鯉のぼり本体６０の内側に挿通された円筒形の発泡ウレタンＵ２とで構成されている。
【００５３】
鯉のぼり本体６０は、図４、及び、図５に示すように、鯉のぼり本体生地６６を、目玉、鱗、鰭など鯉の頭部から尾ひれにかけての模様が付された布を鯉の形状に縫合して形成している。前記鯉の模様は、大鯉のぼり６ａ、中鯉のぼり６ｂ、小鯉のぼり６ｃの順に黒、赤、青を基調として配色されているが、これに限らない。
【００５４】
鯉のぼり本体生地６６は、吹流し部本体生地４３と同様にナイロン又はポリエステル生地などの化学繊維等で形成している。
【００５５】
鯉のぼり本体生地６６には、鯉の胴部分Ａに複数の鱗を連続配設した模様が描かれており、該胴部分の腹と背との間部分には、頭部側から尾ひれ側にかけて複数の反射体３０を配設している。  
なお、反射体３０は、吹き流し本体生地４３に固着したものと同じものを用いている。
【００５６】
図４に示すように、鯉のぼり本体６０は、上述したように、鯉の形状に形成されており、詳しくは、この円筒形の口縁６１から中央に向かってやや内径が大となるようにゆるやかに膨らみ、さらに中央から尾びれ６４へ向かってやや内径が小となって尾びれ６４の付け根付近で口縁６１と同程度の内径となり、さらに尾びれ先端６５に向かって内径大となって広がる全体形状で形成されている。
【００５７】
鯉のぼり本体６０の上辺中央には、背びれ６３が設けられ、鯉のぼり本体６０における口縁６１の他方側には、尾びれ６４が設けられている。  
なお、尾びれ６４の上辺部分は、針金７２を帯状のビニル素材７１で挟んだカラー帯７０を縫合し、該カラー帯７０の針金７２の形状保持力を利用して尾びれ６４の上辺形状を自由な形状に調整することができる。
【００５８】
鯉のぼり本体６０は、一端に口縁６１が設けられており、この口縁６１にリング状の針金６７が嵌め込まれている。これにより、口縁６１を綺麗な円形を保ち、発泡ウレタンＵ２を挿入しやすくなっている。
【００５９】
口縁６１の近傍は、上下に貫通孔６２が設けられており、この貫通孔６２に紐２５を挿通できるように構成されている。
【００６０】
３つの鯉のぼり６ａ〜６ｃのうち、最下部に配置される鯉のぼり６ｃ以外の鯉のぼり６ａ，６ｂは、鯉のぼり本体６０の下部中央に、上述した吊り下げ具８が設けられている。すなわち、鯉のぼり本体６０の下部中央に、吊り下げ具８の吊り紐８１の一端が固定されている。
【００６１】
上述した発泡ウレタンＵ２の両端には、円盤状の白色の化粧板Ｃ２が設けられている。この化粧板Ｃ２は、発泡ウレタンＵ２の直径と同サイズに形成されており、発泡ウレタンＵ２の色が外部から見えないようにされている。これにより、発泡ウレタンＵ２が変色しても美観に影響を与えないようにしている。
【００６２】
このように構成された鯉のぼり６は、上部略中央の背びれ６３が吊り下げ具８の挟持具８２によって挟持され、これによって吊り下げられている。鯉のぼり６の口縁６１は、支柱２３に接触または近接する位置となるように、貫通孔６２に挿通された紐２５によって固定されている。これにより、鯉のぼり６は、飾り台２に水平状態で安定して取り付けられ、発泡ウレタンＵ２によって立体形状が保たれている。
【００６３】
室内鯉のぼりセット１は、上述した構成で構成している。  
続いて、複数の反射体３０を鯉のぼり本体生地６６に固着する手順について図７、及び、図８を用いて説明する。  
但し、鯉のぼり本体生地６６は、鯉形状に縫製され、表面に鯉の模様が付されているが、未だ紐２５や吊り下げ具８に取り付けられておらず、内側には発泡ウレタンＵ２が挿入されていないものとする。
【００６４】
先ず、複数の反射体３０を、鯉のぼり本体生地６６における所望の配設位置に適切に配置するために用いる反射体固定配置台５１を設置する。
【００６５】
反射体固定配置台５１は、平坦状の上面に反射体３０を嵌め込んで位置決め保持可能な嵌込み凹部５２が複数形成されている。
【００６６】
前記嵌込み凹部５２は、鯉のぼり本体生地６６において配置する各反射体３０の配置位置に対応するよう反射体固定配置台５１の上面に配設され、反射体３０を嵌め込んだとき、嵌め込んだ反射体３０の上部が台上面から突出する底浅の凹形状で形成している。
【００６７】
図７（ａ）に示すように、複数の反射体３０を、前記反射体固定配置台５１に形成された嵌込み凹部５２に嵌め込む。  
反射体３０は、上述したように透光性の多面体で形成した反射体本体３１の底面に熱溶着部３２が設けられている。この熱溶着部３２の有する側を嵌込み凹部５２に嵌め込む。
【００６８】
片面に接着層５４を形成した接着シート５３を用意し（図７（ｂ）の一部拡大図参照）、図７（ｂ）に示すように、該接着シート５３を、反射体固定配置台５１の上方から該接着層５４が複数の反射体３０に重合するよう覆い被せる。  
なお、接着シート５３は、反射体固定配置台５１の上面に対して極力、接着しないよう覆い被せることが好ましい。  
そして図７（ｃ）に示すように、接着シート５３を上昇させると、複数の反射体３０は接着シート５３に接着しているため、反射体３０と一体に上昇させることができる。
【００６９】
続いて図８（ｄ）に示すように、上昇した接着シート５３を、鯉のぼり本体生地６６と上下に対向させる。  
接着シート５３を鯉のぼり本体生地６６に対して動かして、複数の反射体３０を鯉のぼり本体生地６６に対して固着する位置を決定する。固着位置は、例えば、鯉のぼり本体生地６６に描かれた鯉の模様に基いて決定する。
【００７０】
そして、接着シート５３を降下させることにより、鯉のぼり本体生地６６に複数の反射体３０を略同時に設置することができる（図８（ｅ）参照）。このとき、反射体３０は、接着シート５３により接着保持されているため、鯉のぼり本体生地６６に対して不測に位置ズレすることがない。
【００７１】
さらに、接着シート５３の上方から例えば、熱溶着用コテを押し当てるなどして熱を付与する熱転写を行なう（図示せず）。これにより接着シート５３を通じて反射体３０の熱溶着部３２に熱が付与され、該熱溶着部３２が熱溶融するため、鯉のぼり本体生地６６に対して反射体３０を固着することができる（図８（ｆ）の一部拡大図参照）。  
なお、接着シート５３は、耐熱性シートを用いている。
【００７２】
熱転写が完了すれば、図８（ｆ）に示すように、接着シート５３を上昇させる。反射体３０は、鯉のぼり本体生地６６に強固に溶着しているため、接着シート５３との接着に関らず、接着シート５３に対して分離することができる。
【００７３】
上述した工程により、複数の反射体３０を鯉のぼり本体生地６６の所望の配置位置に正確に取り付けることができるとともに、一度に複数の反射体３０を取り付けることができるため、量産化も可能である。
【００７４】
上述した工程が完了後は、発泡ウレタンＵ２を、複数の反射体３０が配設された鯉のぼり本体生地６６の内部に差込み、吊り下げ具８に吊り下げた状態で紐２５に取り付ければ飾り台２にセットすることができる。  
なお、複数の反射体３０を吹き流し本体生地４３に配設する手順は、複数の反射体３０を鯉のぼり本体生地６６に配設する上述した手順と略同じであるため、その説明を省略する。
【００７５】
上述した室内鯉のぼりセット１は、以下のような様々な作用、効果を奏することができる。  
鯉のぼり本体生地６６、及び、吹き流し本体生地４３の表面に複数の反射体３０を配設することにより、これら反射体３０が光を積極的に反射、拡散するため、例えば、鯉のぼり本体生地６６の表面に金箔や模様を付した従来の鯉のぼりと比較して鯉本来が有する表面の鮮明さ、艶やかさ、光沢を格段に向上させることができる。
【００７６】
よって、鯉のぼり６や吹流し４の装飾性、審美性を格段に向上させることができとともに、鯉が元気よく泳いでいる際の躍動感を醸し出すことができる。
【００７７】
前記反射体３０は、表面が多面体である粒状の反射粒状体であるため、見る角度や入射光の変化によって、外部からの光を反射する反射面が異なるため、優れた光沢感を発揮することができる。
【００７８】
よって、風になびくことなく静止した状態で設置される室内用の鯉のぼりでも、鱗や尾などが光に反射して煌きながら元気よく泳ぐ様子を醸し出すことができる。
【００７９】
前記反射体３０は、前記鯉のぼり本体生地６６の鱗部分に偏在するよう配設しているため、鯉のぼりの表面に描かれた複数の鱗部分に有する反射光が特に反射するため、鯉が泳いでいる際に鯉の胴体部分Ａに配置された複数の鱗が光に反射して煌いている様子を表すことができ、見る人の注意を引き寄せることができるとともに、より本物の鯉に則した光沢を表現することができる。
【００８０】
また、吹き流し４の場合、吹き流し本体生地４３に付した２重の環状模様Ｄ１，Ｄ２に反射体３０を上述したように配設することにより、該環状模様Ｄ１，Ｄ２のアクセントとなり、飽きがこず、インパクトを与えることができる。
【００８１】
さらにまた、吹き流し４における例えば、鶴が羽ばたいている模様部分に集中的に反射体３０を配設することで鶴が優雅に羽ばたいている様子を引き立てることができ、豪華で美しく、高級感を醸し出すことができる。
【００８２】
また、反射体３０は、鯉のぼり本体生地６６や吹き流し本体生地４３の表面に対して熱溶着部３２をしっかりと熱溶着することにより、これら生地に対して反射体本体３１を突状態に配することが可能となるため、表面に付した模様と比較して鯉の表面に有する鱗などの凹凸感を表現することができるとともに、反射光を広い範囲で拡散できるため、光沢感を強調することができる。
【００８３】
上述したように反射体３０を、のぼり本体生地６６や吹き流し本体生地４３に対して上述した固着方法により固着するだけで一度にしっかりと複数の反射体３０を固着することができる。
【００８４】
また、吹き流し４は、吹き流し本体生地４３に発泡ウレタンＵ１を差込むことにより、美しい円筒形状を保つことができ、鯉のぼり６は、鯉のぼり本体生地６６に発泡ウレタンＵ２を差込むことにより、ふくらみのある美しい鯉の形状を保つことができる。
【００８５】
そして、このように吹き流し本体生地４３や鯉のぼり本体生地６６を内側からふくらみをもたせることにより、吹き流し本体生地４３、及び、鯉のぼり本体生地６６が弛緩することがないため、これら生地の表面に固着した複数の反射体３０が弛緩した生地により隠蔽されることがなく、所望の配置位置において反射体３０が光を反射、拡散するため、見栄えよく視認することができる。
【００８６】
さらに複数の反射体３０は、吹き流し本体４０、及び／又は、鯉のぼり本体６０のふくらみにあわせて異なる向きとなるよう配設されているため、反射体３０が曲面に沿って配置され、様々な向きとなり、様々な角度から眺めてもいずれかの反射体３０が反射してキラキラと美しく見える。
【００８７】
上述した実施形態と、この考案の構成との対応において、
立体形状保持部材は、発泡ウレタンＵ１，Ｕ２に対応するも、
この考案は、上述の実施形態の構成のみに限定されるものではなく、多くの実施の形態を得ることができる。
【符号の説明】
【００８８】
１…室内鯉のぼりセット
４…吹き流し
６…鯉のぼり
２３…支柱
３０…反射体
３１…反射体本体
３１Ａ…透光性反射面
３１Ｂ…反射面
３２…熱溶着部
４３…吹き流し本体生地
６６…鯉のぼり本体生地
Ｕ１，Ｕ２…発泡ウレタン
【図１】
0003155510.tif 000003
【図２】
0003155510.tif 000004
【図３】
0003155510.tif 000005
【図４】
0003155510.tif 000006
【図５】
0003155510.tif 000007
【図６】
0003155510.tif 000008
【図７】
0003155510.tif 000009
【図８】
0003155510.tif 000010